(57)【要約】【課題】製本された状態で表紙をめくることなく表紙でコの字状に覆われた用紙面の一部を見ることができるような冊子を生成すること。【解決手段】操作表紙部Ａ４において設定された表紙長さ、表紙オフセット量等により表紙Ｓ２の断裁量を算出し、この断裁量をもとに表紙Ｓ２を製本装置Ｂの断裁部７０により断裁する。断裁した表紙Ｓ２を用紙Ｓ１の束と接合し印刷ジョブ毎にくるみ本Ｓ３を生成する。【選択図】図１４
2007296688.tif 000002
【特許請求の範囲】
【請求項１】
画像が形成された用紙を集積して用紙束を生成し、前記用紙束を表紙でコの字状に覆うことにより冊子を生成する画像形成システムであって、
用紙に画像を形成する画像形成手段と、
前記冊子の小口部に対応する前記表紙の端部の少なくとも一方を断裁する断裁手段と、
前記冊子の小口部に対応する前記表紙の端部の少なくとも一方と前記冊子の小口部に対応する前記用紙束の端部との相対位置に関連する情報を入力する入力手段と、
前記相対位置に関連する情報を印刷ジョブと対応づけて記憶する記憶手段と、
前記記憶手段に記憶されている相対位置に関連する情報に基づいて前記断裁手段における前記表紙の断裁量を制御する制御手段と、
を有することを特徴とする画像形成システム。
【請求項２】
表紙を前記断裁手段に搬送する搬送手段を有し、
前記制御手段は、前記搬送手段によって搬送される前記表紙の前記断裁手段における停止位置を調整することにより、前記表紙の断裁量を制御する請求項１に記載の画像形成システム。
【請求項３】
前記用紙束に対して前記表紙を接合する接合手段を有し、
前記制御手段は、前記断裁手段により前記表紙を断裁した後、前記接合手段へ前記表紙を搬送するよう制御する請求項１又は２に記載の画像形成システム。
【請求項４】
前記制御手段は、前記記憶手段に記憶されている相対位置に関連する情報に基づいて、前記表紙の前記接合手段における停止位置を調整する請求項３に記載の画像形成システム。
【請求項５】
前記制御手段は、用紙のサイズに関連する情報に基づいて、前記表紙の前記接合手段における停止位置を調整する請求項３又は４に記載の画像形成システム。
【請求項６】
前記相対位置に関連する情報は、前記入力手段により印刷ジョブ毎に入力される請求項１乃至５の何れか１項に記載の画像形成システム。
【請求項７】
接続された画像形成装置から送り出された用紙を集積して用紙束を生成し、前記用紙束を表紙でコの字状に覆うことにより冊子を生成する製本装置であって、
前記冊子の小口部に対応する前記表紙の端部の少なくとも一方を断裁する断裁手段と、
前記冊子の小口部に対応する前記表紙の端部の少なくとも一方と前記冊子の小口部に対応する前記用紙束の端部との相対位置に関連する情報を印刷ジョブ毎に前記画像形成装置より受信する受信手段と、
前記受信手段により受信した前記相対位置に関連する情報に基づいて前記断裁手段における前記表紙の断裁量を制御する制御手段と、
を有することを特徴とする製本装置。
【請求項８】
表紙を前記断裁手段に搬送する搬送手段を有し、
前記制御手段は、前記搬送手段によって搬送される前記表紙の前記断裁手段における停止位置を調整することにより、前記表紙の断裁量を制御する請求項７に記載の製本装置。
【請求項９】
前記用紙束に対して前記表紙を接合する接合手段を有し、
前記制御手段は、前記断裁手段により前記表紙を断裁した後、前記接合手段へ前記表紙を搬送するよう制御する請求項７又は８に記載の製本装置。
【請求項１０】
前記制御手段は、前記相対位置に関連する情報に基づいて、前記表紙の前記接合手段における停止位置を調整する請求項９に記載の製本装置。
【請求項１１】
前記制御手段は、用紙のサイズに関連する情報に基づいて、前記表紙の前記接合手段における停止位置を調整する請求項９又は１０に記載の画像形成システム。
【請求項１２】
画像形成された用紙を集積して用紙束を生成し、断裁手段で断裁した表紙で前記用紙束をコの字状に覆うことにより冊子を生成する製本装置に接続可能であり、用紙に画像を形成する画像形成装置であって、
前記冊子の小口部に対応する前記表紙の端部の少なくとも一方と前記冊子の小口部に対応する前記用紙束の端部との相対位置に関連する情報を入力する入力手段と、
前記相対位置に関する情報を印刷ジョブと対応づけて記憶する記憶手段と、
前記断裁手段における表紙の断裁量を制御するため、前記記憶手段に記憶されている相対位置に関する情報を前記製本装置に対して送信する送信手段と、
を有することを特徴とする画像形成装置。
【発明の詳細な説明】
【技術分野】
【０００１】
本発明は、用紙束を表紙でコの字状に覆うことにより冊子を生成する画像形成システム、製本装置及び当該製本装置に接続される画像形成装置に関するものである。
【背景技術】
【０００２】
複写機やプリンタ等で画像を形成した複数枚の用紙の束を表紙でコの字状に覆い製本する製本装置が知られている（特許文献１参照）。一般的な製本技術の概要を説明すると、まず画像を形成した複数枚の用紙を集積・整合して用紙束を生成する。次に集積・整合した用紙束の背部に対応する一面に糊等の接着剤を塗布する。そして表紙を搬送させて所定位置に停止させ、表紙を用紙束の接着剤塗布面である背部に接合する。このような手順で複数枚の用紙と表紙が一体となり冊子が生成されるのである。
【０００３】
製本装置により生成された冊子の一例を図１に示す。図１（ａ）は表紙Ｓ２が折られていない状態を示し、図１（ｂ）は表紙Ｓ２が折られた状態を示す。くるみ本Ｓ３は複数枚の用紙Ｓ１の束と表紙Ｓ２により構成されており、Ｓ３Ｅを背部として用紙Ｓ１の束を表紙Ｓ２でコの字状に覆うような形態になっている。くるみ本Ｓ３の最終形態では、くるみ本Ｓ３の小口部に対応する用紙Ｓ１の側端部Ｓ１Ｅと表紙Ｓ２の側端部Ｓ２Ｅが揃っている。
【特許文献１】特開２００５−３３５２６２号公報
【発明の開示】
【発明が解決しようとする課題】
【０００４】
表紙Ｓ２でコの字状に覆われる用紙Ｓ１の束は多種のものがあり、例えば図２に示すように用紙Ｓ１の右端に章の区切りとしてタグＳ１ａが設けられているものがある。このような用紙Ｓ１の束を表紙Ｓ２で覆い、くるみ本Ｓ３を生成する場合、くるみ本Ｓ３の側面図である図３で示すように用紙Ｓ１の側端部Ｓ１Ｅと表紙Ｓ２の側端部Ｓ２Ｅを揃えてしまうと、タグＳ１ａが表紙Ｓ２に隠れてしまい、表表紙Ｓ２ａをめくらない限り図３の矢印方向から見てもタグＳ１ａを見ることが出来ない。
【０００５】
そこで、本発明の目的は、製本された状態で表紙をめくることなく表紙でコの字状に覆われた用紙面の一部を見ることができるような冊子の生成を可能とする画像形成システム、製本装置及び画像形成装置を提供することにある。
【課題を解決するための手段】
【０００６】
上記目的を達成するため、本発明に係る画像形成システムは、
画像が形成された用紙を集積して用紙束を生成し、前記用紙束を表紙でコの字状に覆うことにより冊子を生成する画像形成システムであって、
用紙に画像を形成する画像形成手段と、
前記冊子の小口部に対応する前記表紙の端部の少なくとも一方を断裁する断裁手段と、
前記冊子の小口部に対応する前記表紙の端部の少なくとも一方と前記冊子の小口部に対応する前記用紙束の端部との相対位置に関連する情報を入力する入力手段と、
前記相対位置に関連する情報を印刷ジョブと対応づけて記憶する記憶手段と、
前記記憶手段に記憶されている相対位置に関連する情報に基づいて前記断裁手段における前記表紙の断裁量を制御する制御手段と、
を有することを特徴とするものである。
【０００７】
また、本発明に係る製本装置は、
接続された画像形成装置から送り出された用紙を集積して用紙束を生成し、前記用紙束を表紙でコの字状に覆うことにより冊子を生成する製本装置であって、
前記冊子の小口部に対応する前記表紙の端部の少なくとも一方を断裁する断裁手段と、
前記冊子の小口部に対応する前記表紙の端部の少なくとも一方と前記冊子の小口部に対応する前記用紙束の端部との相対位置に関連する情報を印刷ジョブ毎に前記画像形成装置より受信する受信手段と、
前記受信手段により受信した前記相対位置に関連する情報に基づいて前記断裁手段における前記表紙の断裁量を制御する制御手段と、
を有することを特徴とするものである。
【０００８】
また、本発明に係る画像形成装置は、
画像形成された用紙を集積して用紙束を生成し、断裁手段で断裁した表紙で前記用紙束をコの字状に覆うことにより冊子を生成する製本装置に接続可能であり、用紙に画像を形成する画像形成装置であって、
前記冊子の小口部に対応する前記表紙の端部の少なくとも一方と前記冊子の小口部に対応する前記用紙束の端部との相対位置に関連する情報を入力する入力手段と、
前記相対位置に関する情報を印刷ジョブと対応づけて記憶する記憶手段と、
前記断裁手段における表紙の断裁量を制御するため、前記記憶手段に記憶されている相対位置に関する情報を前記製本装置に対して送信する送信手段と、
を有することを特徴とするものである。
【発明の効果】
【０００９】
本発明に係る画像形成システム、製本装置及び画像形成装置によれば、製本された状態で表紙をめくることなく表紙でコの字状に覆われた用紙面の一部を見ることができるような冊子を生成出来る。
【発明を実施するための最良の形態】
【００１０】
図４は、画像形成システムの中央断面図である。
【００１１】
画像形成システムは画像形成装置Ａ及び製本装置Ｂを有する。
【００１２】
画像形成装置Ａは電子写真方式により画像を形成するものであり、画像形成部Ａ１、原稿搬送部Ａ２、及び画像読取部Ａ３を有する。
【００１３】
画像形成部Ａ１において、ドラム状の感光体１の周囲に帯電装置２、露光装置３、現像装置４、転写装置５Ａ、分離装置５Ｂ及びクリーニング装置６が配置されており、帯電、露光、現像及び転写の各プロセスが実行され、用紙Ｓ１、表紙Ｓ２にトナー像が形成される。製本された場合に表紙Ｓ２にくるまれる用紙Ｓ１は２つの給紙トレイ７Ａに収納されており、表紙Ｓ２は給紙トレイ７Ｂと製本装置Ｂの表紙収納部８０に収納されている。給紙トレイ７Ａ、７Ｂから用紙Ｓ１、表紙Ｓ２が１枚ずつ排出され、画像形成部Ａ１へ搬送される。トナー像が転写された用紙Ｓ１、表紙Ｓ２は定着装置８を通過して定着処理される。定着処理された用紙Ｓ１、表紙Ｓ２は、排紙ローラ７Ｃから画像形成装置Ａの外へ排出される。
【００１４】
製本装置Ｂは画像形成装置Ａから送り出された用紙Ｓ１を複数枚束ねて用紙の束とし、当該束に表紙Ｓ２を接合して表紙により用紙の束をコの字状に覆い、冊子であるくるみ本を生成する。
製本装置Ｂは用紙反転部３０、集積部４０、塗布部５０、用紙束に表紙を接合する接合部（接合手段）６０を有し、更に搬送部（搬送手段）１０、排紙皿２０、表紙収納部８０、冊子排出部９０を有する。画像形成装置Ａから製本装置Ｂへ搬送されてきた用紙Ｓ１は、搬送部１０に設けられた切り替えゲート（図示せず）により、排出路１１を経て排紙皿２０に排出されるか又は用紙反転部４０に搬送される。排紙皿２０には、製本装置Ｂにおいて製本しない場合に用紙Ｓ１が排出される。製本装置Ｂにおいて製本動作を実行する場合、用紙Ｓ１は搬送路１２を経て用紙反転部３０に搬送され、用紙反転部３０においてスイッチバックした後に、集積部４０に搬送される。集積部４０において用紙Ｓ１が集積され、用紙Ｓ１が１部分の枚数に到達すると集積部４０が回転し、用紙Ｓ１の束がほぼ垂直状態で保持される。そして用紙Ｓ１の束の背部である下面に塗布部５０によって接着剤が塗布され、接合部６０において用紙Ｓ１の束と表紙Ｓ２が接合される。用紙Ｓ１の束に表紙Ｓ２が接着されて作成されたくるみ本Ｓ３は冊子排出部９０に排出される。
【００１５】
製本動作で使用される表紙Ｓ２は、給紙トレイ７Ｂ又は表紙収納部８０から供給される。給紙トレイ７Ｂに収容されている表紙Ｓ２を使用して製本動作を実行する場合、表紙Ｓ２が給紙トレイ７Ｂから排出され、画像形成部Ａ１を経由して、製本装置Ｂに送り込まれる。製本装置Ｂに送り込まれた表紙Ｓ２は、搬送部１０によって、表紙Ｓ２の端部の少なくとも一方を断裁する断裁部（断裁手段）７０へ搬送され、その後接合部６０へ搬送される。一方、表紙収納部８０に収容されている表紙Ｓ２を使用して製本動作を実行する場合、表紙Ｓ２が表紙収納部８０から排出され、搬送部１０によって断裁部７０へ搬送され、その後接合部６０へ搬送される。表紙Ｓ２は、接合部６０に搬送される前に断裁部７０で所定の長さになるよう断裁される。断裁部７０についての詳細内容は後述する。
【００１６】
この画像形成システムによってくるみ本Ｓ３が生成されるわけであるが、前述したように、例えば図２に示すように用紙Ｓ１の右端に章の区切りとしてタグＳ１ａが設けられてている場合、くるみ本Ｓ３の小口部に対応する用紙Ｓ１の側端部Ｓ１Ｅと表紙Ｓ２の側端部Ｓ２Ｅを揃えてしまうと（図３参照）、用紙Ｓ１の側端部側に設けられたタグＳ１ａが表紙Ｓ２に隠れてしまい、表表紙Ｓ２ａをめくらないとタグＳ１ａを見ることが出来ない。
【００１７】
そこで、図５に示すように、表表紙Ｓ２ａの表紙長さ方向の長さをタグＳ１ａの幅に相当する長さだけ用紙束の側端部Ｓ１Ｅよりも短くすれば、表表紙Ｓ２ａをめくることなくタグＳ１ａを見ることができる。なお、本実施の形態において、表紙長さ方向とは、くるみ本Ｓ３における小口部に対応する表紙における二つの端部間の距離であり、表表紙の表紙長さ方向の長さとは、くるみ本Ｓ３における小口部に対応する表表紙における端部と背部との距離である。また、同様に、裏表紙の表紙長さ方向の長さとは、くるみ本Ｓ３における小口部に対応する裏表紙における端部と背部との距離である。以下、図５に示すようなくるみ本Ｓ３を生成する動作等について詳細に説明する。なお、図５におけるＸは、くるみ本Ｓ３における小口部に対応する表紙における二つの端部のうちの一方とくるみ本Ｓ３における小口部に対応する用紙Ｓ１の束の端部との相対距離であり、以下「表紙オフセット量」という。
【００１８】
図６〜図１１は操作表示部Ａ４における表示画面の詳細図である。
【００１９】
画像形成システムにおいてくるみ本Ｓ３を生成する場合は、操作表示部（入力手段）Ａ４よりくるみ綴じ設定、表紙オフセット量等の設定を入力する。図６は入力手段である操作表示部Ａ４の基本画面を示す。図６に示す基本画面で用紙Ｓ１のサイズを選択する。
【００２０】
製本動作を実行する場合は、まず応用機能釦Ａ４１を押す。応用機能釦Ａ４１が押されると図７に示すように応用機能に関する設定画面が表示され、次に設定画面における後処理釦Ａ４２を押す。後処理釦Ａ４２が押されると図８に示すように後処理に関する設定画面が表示される。図５で示したように用紙Ｓ１を表紙Ｓ２でコの字状に覆う製本動作を実行したい場合は、設定画面におけるくるみ綴じ釦Ａ４３を押す。くるみ綴じ釦Ａ４３が押されると、図９に示すようなくるみ綴じの設定に関する設定画面が表示され、この画面上で表紙印字の有無、表紙印字面等を設定する。表紙サイズを入力する場合は、表紙サイズ釦Ａ４４を押す。表紙サイズ釦Ａ４４が押されると、図１０に示すような表紙サイズに関する設定画面が表示され、表紙幅釦Ａ４６、表紙長さ釦Ａ４７を押してテンキーにより表紙Ｓ２の表紙幅及び表紙長さを入力する。なお、表紙長さとは、表紙長さ方向の長さであり、表紙幅とは、表紙長さ方向とは直交する方向の長さである。図５で示したように表表紙Ｓ２ａ側をＸだけ短くしたい場合は、図９で示す設定画面の表紙オフセット釦Ａ４５を押す。表紙オフセット釦Ａ４５が押されると、図１１に示すような表紙オフセット量に関する設定画面が表示され、表紙オフセット量釦Ａ４８を押してテンキーにより表紙オフセット量Ｘを入力する。一連の設定が完了し、ＯＫ釦を押されると設定が完了する。
【００２１】
なお、本実施形態においては、表表紙の表紙オフセット量Ｘを設定する構成を例にとり説明する。そのため、図９の設定画面で開き方向を左開きに設定し、かつ表紙オフセット量Ｘを設定した場合には、左開きのくるみ本の表表紙の表紙長さ方向の長さが用紙束の小口部と背部との距離よりも短いくるみ本が生成される。同様に、図９の設定画面で開き方向を右開きに設定し、かつ表紙オフセット量Ｘを設定した場合には、右開きのくるみ本の表表紙の表紙長さ方向の長さが用紙束の小口部と背部との距離よりも短いくるみ本が生成される。
【００２２】
図１２は操作表示部Ａ４等により設定された複数の印刷ジョブの内容を示す説明図である。
【００２３】
図６〜図１１で説明したように操作表示部Ａ４においてくるみ綴じに関する設定がなされると、当該設定の内容が印刷ジョブと対応づけてデータとして画像形成装置Ａの記憶手段であるＲＡＭ１０２Ａ上に記憶され、その後製本動作が実行される。図１２は画像形成装置ＡのＲＡＭ１０２Ａ上に複数の印刷ジョブが記憶されている状態を示している。各印刷ジョブは、開き方向、表紙幅、表紙長さ、表紙オフセット量等の情報が各々含まれており、また画像データに対応したものとなっている。従って印刷ジョブ毎に表紙オフセット量が異なるくるみ本Ｓ３を生成することができ、簡易に多種の製本動作が実行出来る。図１２に示す印刷ジョブは操作表示部Ａ４において設定したものに限らず、画像形成システムに接続された端末により送信された印刷ジョブも含まれる。
【００２４】
図１３は、画像形成システムの制御構成図である。
【００２５】
画像形成装置Ａは、プログラムに従って画像形成装置Ａの各種制御を実行する制御手段であるＣＰＵ１００Ａを中心に、バス１０５Ａにより、ＲＯＭ１０１Ａ、ＲＡＭ１０２Ａ、不揮発性メモリ１０３Ａ、画像読取部Ａ３、画像形成部Ａ１、操作表示部Ａ４、給紙部７、送信手段である通信部１０４Ａ等が相互に接続されている。
ＲＯＭ１０１Ａは、画像形成装置Ａを制御するためのプログラムやデータを含む各種プログラムやデータを記憶している。ＲＡＭ１０２Ａは、ＣＰＵ１００Ａによってワークエリアとして利用され、ＣＰＵ１００Ａが画像形成装置Ａの制御を実行する際に必要なプログラムやデータを一時的に記憶する。そして、ＣＰＵ１００Ａは、ＲＡＭ１０２Ａに展開されたプログラム及びデータに基づき、画像形成装置Ａの制御を実行する。画像読取部Ａ３は、原稿を読み取って画像データを生成する。生成された画像データは、ＣＰＵ１００Ａにより処理が施され、画像形成部Ａ１に出力される。画像形成部Ａ１は、ＣＰＵ１００Ａにより処理が施された画像データに基づいて用紙上に画像形成を行う。給紙部７は、給紙カセット７Ａに収容されている用紙Ｓ１又は給紙カセット７Ｂに収容されている表紙Ｓ２を画像形成部Ａ１に向けて搬送する。操作表示部Ａ４は、タッチパネル等で構成され、各種操作画面の表示や指示入力等が行われる。通信部１０４Ａは、製本装置Ｂに接続され、製本装置Ｂとの間で各種データを送受信する。
【００２６】
製本装置Ｂは、プログラムに従って製本装置Ｂの各種制御を実行するＣＰＵ（制御手段）１００Ｂを中心に、バス１０５Ｂにより、ＲＯＭ１０１Ｂ、ＲＡＭ（記憶手段）１０２Ｂ、不揮発性メモリ１０３Ｂ、搬送部１０、接合部６０、断裁部７０、表紙収納部８０、及び通信部（受信手段）１０４Ｂ等が相互に接続されている。ＲＯＭ１０１Ｂは、各種プログラムやデータを記憶しており、ＣＰＵ１００Ｂがこれらプログラムやデータを利用して製本装置Ｂの制御を実行する。ＲＡＭ１０２Ｂは、ＣＰＵ１００Ｂによってワークエリアとして利用され、ＣＰＵ１００Ｂが制御を実行する際に必要なプログラムやデータを一時的に記憶する。通信部１０４Ｂは、画像形成装置Ａに接続され、画像形成装置Ａとの間で各種データを送受信する。
【００２７】
図１４は断裁部７０周辺の拡大正面図である。
【００２８】
断裁部７０は表紙Ｓ２を断裁するものである。断裁部７０内にはカッター７１が設置されており、表紙収納部８０等から搬送される表紙Ｓ２をカッター７１によって断裁する。カッター７１によって断裁された表紙Ｓ２は図１４の矢印方向に搬送され、接合部６０へへ搬送される。
【００２９】
表紙Ｓ２は搬送ローラ１０Ａ等により搬送されるわけであるが、表紙Ｓ２を所定の長さで断裁することは、例えば搬送ローラ１０Ａ等を駆動するステッピングモータのステップ数を管理することによって実行する。この点を図１４及び図１５をもとに詳しく説明する。
【００３０】
図１５は表紙オフセット量を考慮したくるみ本Ｓ３の側面図である。図１５（ａ）はくるみ綴じの開き方向が右開きのくるみ本Ｓ３の側面図であり、図１５（ｂ）はくるみ綴じの開き方向が左開きのくるみ本Ｓ３の側面図である。
【００３１】
表紙収納部８０等に収納される表紙Ｓ２の長さをＴ、表紙オフセット量をＸ、用紙Ｓ１の束の厚さをＺ、用紙束の小口部と背部との距離に相当する用紙Ｓ１の横幅をＹとする。表紙Ｓ２の長さＴ、表紙オフセット量Ｘ、及び用紙Ｓ１の横幅Ｙは、操作表示部Ａ４において設定された値であり、用紙Ｓ１の束の厚さＺは、例えば製本装置Ｂにおける集積部４０で実測される値である。表紙Ｓ２における裏表紙Ｓ２ｂの長さは、用紙Ｓ１の横幅Ｙと同じ値となり、表紙Ｓ２における表表紙Ｓ２ａの長さαは、用紙Ｓ１の横幅Ｙから表紙オフセット量Ｘを引いた値となる。以上の関係より表紙Ｓ２の断裁量は以下の式で算出される。
【００３２】
表紙Ｓ２の断裁量＝Ｔ−（α＋Ｚ＋Ｙ）  ・・・（１）
この算出された表紙Ｓ２の断裁量をカッター７１により正確に断裁するためには、搬送ローラ１０Ａ等により搬送させる表紙Ｓ２をカッター７１による断裁位置に正確に停止させて断裁する必要がある。この点に関しては、例えば図１４に示すように搬送ローラ１０Ａの近傍に表紙Ｓ２の先端を検知する先端検知センサ７２を設け、この先端検知センサ７２と、搬送ローラ１０Ａを駆動するステッピングモータ（図示せず）を使用することにより実現する方法が考えられる。まず先端検知センサ７２の検知位置とカッター７１による断裁位置との距離（以下、「検知・断裁間距離」という。）を予めＲＡＭ１０２Ａ又はＲＡＭ１０２Ｂに記憶しておく。上記（１）式により表紙Ｓ２の断裁量を算出した後、算出した表紙Ｓ２の断裁量と検知・断裁間距離とを加算する。搬送されてきた表紙Ｓ２の先端を先端検知センサ７２により検知した場合、検知した時から加算した値に相当するステップ数だけステッピングモータを駆動させ搬送ローラ１０Ａを回転させる。その後、搬送ローラ１０Ａを停止させカッター７１により表紙Ｓ２を断裁すれば、図１５に示すようなくるみ本Ｓ３を構成する表紙Ｓ２を形成出来る。
表紙Ｓ２の断裁量は、図１２に示す印刷ジョブと対応づけられてＲＡＭ１０２Ａに記憶されているくるみ綴じに関する設定の内容に基づき、所定のプログラムにより画像形成装置ＡのＣＰＵ１００Ａによって算出されるか、若しくはＲＡＭ１０２Ａに記憶されているくるみ綴じに関する設定の内容を製本装置Ｂの通信部１０４Ｂが受信し、所定のプログラムにより製本装置ＢのＣＰＵ１００Ｂによって算出される。また表紙Ｓ２の断裁量は印刷ジョブ毎に算出され、表紙Ｓ２の断裁量は印刷ジョブ毎に制御される。
【００３３】
図１６は接合部６０周辺の拡大正面図である。
【００３４】
図１６（ａ）は用紙Ｓ１の束に表紙Ｓ２が接合する状態を示した図であり、図１６（ｂ）は右開きのくるみ本Ｓ３を生成する場合の接合部６０における表紙Ｓ２の接合位置（停止位置）を示した図であり、図１６（ｂ）は左開きのくるみ本Ｓ３を生成する場合の接合部６０における表紙Ｓ２の接合位置（停止位置）を示した図である。図１６（ａ）に示すように表紙Ｓ２が接合位置まで搬送されると上昇して用紙Ｓ１の束と接合し、くるみ本Ｓ３が生成される。図１５に示すくるみ本Ｓ３を生成するためには、断裁部７０により表紙Ｓ２を適切な長さに断裁するだけでなく、表紙Ｓ２を適切な接合位置に搬送・停止させる必要がある。この点を以下に説明する。
まず、くるみ綴じの開き方向が右開きに設定されている場合について図１６（ｂ）をもとに説明する。６１は表紙Ｓ２を適切な接合位置に停止させるストッパーであり、ステッピングモータ（図示せず）により接合部６０の左右方向に移動可能である。接合部６０へ搬送されてきた表紙Ｓ２はストッパー６１に接触することにより停止し、用紙Ｓ１の束と接合する。ストッパー６１の位置は接合基準位置であるβとの距離に基づいて管理されている。図１５（ａ）で示すように表表紙Ｓ２ａの長さがαであると、ストッパー６１は接合基準位置βから左にαの距離離れた位置に停止する。つまり表紙Ｓ２の接合位置は表紙オフセット量や用紙Ｓ１のサイズによって調整されることになる。ストッパー６１は表表紙Ｓ２ａの長さαが判明した時点でステッピングモータにより移動し待機する。次に、くりみ綴じの開き方向が左開きに設定されている場合について図１６（ｃ）をもとに説明する。前述した通りストッパー６１はステッピングモータにより接合部６０の左右方向に移動可能であるが、くるみ綴じの開き方向が左開きに設定されている場合、ストッパー６１の位置は図１５（ｂ）で示す裏表紙Ｓ２ｂの長さＹに相当する位置となる。つまり、図１６（ｃ）に示すようにストッパー６１は接合基準位置βから左にＹの距離離れた位置に停止することになる。そして接合部６０へ搬送されてきた表紙Ｓ２はストッパー６１に接触することにより停止し、用紙Ｓ１の束と接合する。なお、本実施形態ではストッパー６１により表紙Ｓ２を適切な接合位置へ停止させているが、表紙Ｓ２を搬送する搬送ローラのステップ数を管理することにより接合位置へ停止させても良い。
【００３５】
以上説明した断裁部７０、接合部６０により図１５に示すくるみ本Ｓ３が生成される一連の動作を図１７をもとに説明する。
【００３６】
図１７はくるみ綴じの製本動作を示すフローチャート図である。
【００３７】
画像形成装置Ａにおけるスタート釦が押される等により印刷ジョブがスタートすると（Ｓｔｅｐ１）、くるみ綴じの設定があるか否か判断する（Ｓｔｅｐ２）。この判断はＣＰＵ１００Ａ又はＣＰＵ１００Ｂが所定のプログラムに基づいて実行するものであり、図１２で示したように印刷ジョブ内に後処理モードのくるみ綴じ設定があるか否かにより判断する。くるみ綴じの設定がある判断すると、印刷ジョブ内の情報をもとに表紙Ｓ２の断裁量を算出する（Ｓｔｅｐ３）。断裁量の算出は表紙オフセットの設定がある場合は、図１４、図１５で説明した通り前述した（１）式により算出する。表紙オフセットの設定がない場合は、前述した（１）式におけるαをＹに置き換えた以下の（２）式により算出する。
【００３８】
表紙Ｓ２の断裁量＝Ｔ−（２Ｙ＋Ｚ）  ・・・（２）
表紙Ｓ２の断裁量を算出すると、次に表紙Ｓ２を所定量搬送し断裁位置で停止させる（Ｓｔｅｐ４）。この動作は図１４、図１５で説明した通り、所定のステップ数だけステッピングモータを駆動させ搬送ローラ１０Ａを回転させ、その後搬送ローラ１０Ａを停止させることにより実行する。そしてカッター７１により表紙Ｓ２を断裁し（Ｓｔｅｐ５）、表紙Ｓ２を接合部６０における接合位置へ搬送する（Ｓｔｅｐ６）。表紙Ｓ２が接合部６０に搬送される前までに接合部６１におけるストッパー６１が所定位置に移動して停止する。表紙オフセットが設定されていない場合、ストッパー６１は図１６に示す接合基準位置βから左に用紙Ｓ１の横幅であるＹの距離離れた位置に停止する。図１６（ｂ）で説明したように表紙オフセットが設定されており、且つくるみ綴じの開き方向が右開きに設定されている場合は、ストッパー６１は接合基準位置βから左に表表紙Ｓ２ａの長さであるαの距離離れた位置に停止する。また、図１６（ｃ）で説明したように表紙オフセットが設定されており、且つくるみ綴じの開き方向が左開きに設定されている場合は、ストッパー６１は接合基準位置βから左に裏表紙Ｓ２ｂの長さであるＹの距離離れた位置に停止する。接合部６０に搬送された表紙Ｓ２がストッパー６１に接触し接合位置で停止すると表紙Ｓ２が上昇し用紙Ｓ１の束と接合し（Ｓｔｅｐ７）、図１５に示すようなくるみ本Ｓ３が排出される。くるみ本Ｓ３は印刷ジョブ毎に各々表紙オフセット量が異なる場合があり、印刷ジョブ毎にＳｔｅｐ１〜Ｓｔｅｐ８までの動作が繰り返される。なお、Ｓｔｅｐ３〜Ｓｔｅｐ８までの動作はＣＰＵ１００Ａ又はＣＰＵ１００ＢがＲＯＭ１０１Ａ又はＲＯＭ１０１Ｂに記憶されているプログラムやデータに基づき実行する。
【００３９】
以上説明したように印刷ジョブ毎に表紙Ｓ２の断裁量を制御し、表紙Ｓ２の長さを調整することにすることで、表表紙をめくることなく表紙Ｓ２にくるまれる用紙Ｓ１のタグが見えるくるみ本Ｓ３を生成出来る。
【００４０】
なお、図１６（ｂ）、図１６（ｃ）ではくるみ綴じの開き方向を考慮してストッパー６１の停止位置を制御しているが、用紙Ｓ１上に形成される画像の方向を１８０度回転させる画像処理を施すことを考慮して、ストッパー６１の停止位置を制御しても良い。
【００４１】
また、本実施形態においては、表紙オフセット量を表表紙のみに設定した例を説明したが、表表紙ではなく裏表紙に設定してもよく、表表紙と裏表紙の両方に表紙オフセット量を設定してもよい。表表紙の表紙オフセット量のみＸという値に設定した場合（前述）と、裏表紙の表紙オフセット量のみＸという値に設定した場合を比較すると、表紙Ｓ２の断裁量は両者とも同じになるが、ストッパー６１の停止位置が異なり、両者で表紙Ｓ２の接合位置が異なるようになる。
【００４２】
本実施形態は製本装置Ｂと画像形成装置Ａを接続した画像形成システムであるが、製本装置Ｂと画像形成装置Ａが一体的となり、一つの装置の形態であっても同様の効果を有する。
【図面の簡単な説明】
【００４３】
【図１】くるみ本Ｓ３の詳細図である。
【図２】タグを有する用紙の説明図である。
【図３】くるみ本Ｓ３の側面図である。
【図４】画像形成システムの中央断面図である。
【図５】表紙オフセット量を考慮したくるみ本Ｓ３の側面図である。
【図６】操作表示部Ａ４における基本画面に関する説明図である。
【図７】操作表示部Ａ４における応用機能の設定画面に関する説明図である。
【図８】操作表示部Ａ４における後処理の設定画面に関する説明図である。
【図９】操作表示部Ａ４におけるくるみ綴じの設定画面に関する説明図である。
【図１０】操作表示部Ａ４における表紙サイズの設定画面に関する説明図である。
【図１１】操作表示部Ａ４における表紙オフセット量の設定画面に関する説明図である。
【図１２】操作表示部Ａ４等により設定された複数の印刷ジョブの内容を示す説明図である。
【図１３】画像形成システムの制御構成図である。
【図１４】断裁部７０周辺の拡大正面図である。
【図１５】表紙オフセット量を考慮したくるみ本Ｓ３の側面図である。
【図１６】接合部６０周辺の拡大正面図である。
【図１７】くるみ綴じの製本動作を示すフローチャート図である。
【符号の説明】
【００４４】
Ａ  画像形成装置
Ｂ  製本装置
Ａ１  画像形成部
Ａ４  操作表示部
Ｓ１  用紙
Ｓ２  表紙
Ｓ３  くるみ本
１０  搬送部
４０  集積部
５０  塗布部
６０  接合部
７０  断裁部
８０  表紙収納部
１００Ａ、１００Ｂ  ＣＰＵ
１０１Ａ、１０１Ｂ  ＲＯＭ
１０２Ａ、１０２Ｂ  ＲＡＭ
１０３Ａ、１０３Ｂ  不揮発性メモリ
１０４Ａ、１０４Ｂ  通信部
１０５Ａ、１０５Ｂ  バス
【図１】
2007296688.tif 000003
【図２】
2007296688.tif 000004
【図３】
2007296688.tif 000005
【図４】
2007296688.tif 000006
【図５】
2007296688.tif 000007
【図６】
2007296688.tif 000008
【図７】
2007296688.tif 000009
【図８】
2007296688.tif 000010
【図９】
2007296688.tif 000011
【図１０】
2007296688.tif 000012
【図１１】
2007296688.tif 000013
【図１２】
2007296688.tif 000014
【図１３】
2007296688.tif 000015
【図１４】
2007296688.tif 000016
【図１５】
2007296688.tif 000017
【図１６】
2007296688.tif 000018
【図１７】
2007296688.tif 000019